(57)【要約】【課題】  配線・配管材等をその重さに関わらず、適切に支持することができ、しかも、取り扱いに優れる、配線・配管材等の支持具を提供する。【解決手段】  支持具３は、支持具本体５を備える。この支持具本体５は、デッキプレート等の金属製の被取着面１に吸着可能な磁石部６と、配線・配管材２を支持するための支持部７とを有する。ここで、支持具本体５には、一の支持具３の支持具本体５と他の支持具３の支持具本体５とを相互に連結する連結部８が設けられている。そして、一の支持具３の支持具本体５と他の支持具３の支持具本体５とが前記連結部８により連結された状態で、一の支持具３の支持部７に支持された配線・配管材２の重さでその一の支持具３の磁石部６が被取着面１から離間するのをその被取着面１への他の支持具３の磁石部６の吸着力により阻止する。【選択図】  図１
2006083904.tif 000002
【特許請求の範囲】
【請求項１】
デッキプレート等の金属製の被取着面に吸着可能な磁石部と、配線・配管材等を支持するための支持部とを有する支持具本体を備えた、配線・配管材等の支持具であって、
前記支持具本体には、一の前記支持具の支持具本体と他の前記支持具の支持具本体とを相互に連結する連結部が設けられて、前記一の支持具の支持具本体と前記他の支持具の支持具本体とが前記連結部により連結された状態で、前記一の支持具の支持部に支持された前記配線・配管材等の重さでその一の支持具の磁石部が前記被取着面から離間するのをその被取着面への前記他の支持具の磁石部の吸着力により阻止することを特徴とする、配線・配管材等の支持具。
【請求項２】
前記連結部は、前記支持具本体の、前後または左右の、２方の側部に設けられていることを特徴とする、請求項１に記載の、配線・配管材等の支持具。
【請求項３】
前記連結部は、前記支持具本体の、前後および左右の、４方の側部に設けられていることを特徴とする、請求項１に記載の、配線・配管材等の支持具。
【請求項４】
前記連結部は、前記磁石部の側方に設けられていることを特徴とする、請求項１ないし３のいずれか１項に記載の、配線・配管材等の支持具。
【請求項５】
前記連結部は、前記一の支持具の支持具本体を、この支持具に隣接する前記他の支持具の支持具本体に対して、前記連結部を支点として前記被取着面とは反対側に向けて回動しないように連結することを特徴とする請求項１ないし４のいずれか１項に記載の、配線・配管材等の支持具。
【請求項６】
前記連結部は、前記一の支持具の支持具本体を、この支持具に隣接する前記他の支持具の支持具本体に対して、前記連結部を支点として前記被取着面とは反対側および前記被取着面側に向けて回動しないように連結することを特徴とする請求項５に記載の、配線・配管材等の支持具。
【請求項７】
前記連結部は、前記一の支持具の支持具本体を、この支持具に隣接する前記他の支持具の支持具本体に対して、前記連結部を支点として前記被取着面とは反対側および／または前記被取着面側に向けて回動可能となるように連結することを特徴とする請求項１ないし４のいずれか１項に記載の、配線・配管材等の支持具。
【請求項８】
請求項１ないし７のいずれか１項に記載の支持具を複数用いた支持装置であって、
複数の前記支持具本体が、前記連結部により連結されてなる、配線・配管材等の支持装置。
【請求項９】
前記磁石部は、磁石と、その磁石を収容するヨークとからなり、
前記磁石は、前記ヨークの開口側に臨む一端側と、前記ヨークの底面側に臨む他端側とが、異なる磁極となるように磁化され、それら磁極の極性が特定されて前記ヨーク内に収容されることで、前記ヨークの開口側に臨む一端側の磁極がＮＳのいずれか一方の極に設定されていることを特徴とする請求項８に記載の、配線・配管材等の支持装置。
【発明の詳細な説明】
【技術分野】
【０００１】
この発明は、デッキプレート等の金属製の被取着面に対して、配線・配管材等を支持するための、配線・配管材等の支持具および支持装置に関するものである。
【背景技術】
【０００２】
従来、例えば、コンクリート天井壁を構成するデッキプレート等の金属製プレートの下方に、配線・配管材を吊設する場合に、吊り具に備わる磁石部を、被取着面としてのプレート下面に吸着させ、その吸着力により、配線・配管材を吊設することが行なわれていた（例えば、特許文献１参照）。
【０００３】
【特許文献１】実開平５−８４１２７号公報
【発明の開示】
【発明が解決しようとする課題】
【０００４】
しかし、前記吊り具においては、一般に普及している安価な磁石の吸着力では、重量の大きな配線・配管材を吊設するには不十分であり、吊設対象物が大きく制限される現状があった。また、磁石の吸着力による吊設にあっては、落下はしなくとも、前記プレート面に沿って支持位置がずれる虞があった。
【０００５】
なお、吸着力の極めて強い磁石を使用することも考えられるが、かかる磁石は、一度吸着させてしまうと位置変更等が極めて困難となり、取り扱いが著しく不便である。
【０００６】
この発明は、上記した従来の欠点を解決するためになされたものであり、その目的とするところは、配線・配管材等をその重さに関わらず、適切に支持することができ、しかも、取り扱いに優れる、配線・配管材等の支持具および支持装置を提供することにある。
【課題を解決するための手段】
【０００７】
この発明に係る配線・配管材等の支持具および支持装置は、前記目的を達成するために、次の構成からなる。すなわち、
請求項１に記載の発明に係る配線・配管材等の支持具は、デッキプレート等の金属製の被取着面に吸着可能な磁石部と、配線・配管材等を支持するための支持部とを有する支持具本体を備えた、支持具である。ここで、前記支持具本体には、一の前記支持具の支持具本体と他の前記支持具の支持具本体とを相互に連結する連結部が設けられて、前記一の支持具の支持具本体と前記他の支持具の支持具本体とが前記連結部により連結された状態で、前記一の支持具の支持部に支持された前記配線・配管材等の重さでその一の支持具の磁石部が前記被取着面から離間するのをその被取着面への前記他の支持具の磁石部の吸着力により阻止する。
【０００８】
この支持具によると、この支持具を単独で用いたり、複数の支持具を、その支持具本体を連結部により連結して用いたりすることができる。ここにおいて、支持具を単独で用いると、その一つの支持具の磁石部の吸着力が被取着面に作用する。したがって、この方法は、配線・配管材等が軽い場合に適し、また、被取着面からの支持具の取り外しも容易となる。そして、複数の支持具を連結して用いると、一の支持具の支持部に支持された配線・配管材等の重さでその一の支持具の磁石部が被取着面から離間するのを、その被取着面への他の支持具の磁石部の吸着力により阻止する。したがって、この方法は、配線・配管材等が重い場合に適する。このように、配線・配管材等の重さに応じて、支持具を単独で、あるいは連結して用いることで、配線・配管材等は、その重さに関わらず、適切に支持される。そして、支持具を単独で用いた場合には、被取着面からの支持具の取り外しが容易となり、取り扱いがよい。
【０００９】
また、請求項２に記載の発明に係る配線・配管材等の支持具は、請求項１に記載の支持具において、前記連結部は、前記支持具本体の、前後または左右の、２方の側部に設けられている。このように、連結部が、支持具本体の、前後または左右の、２方の側部に設けられることで、この連結部によって、支持具本体の任意の数を、直線的に連続して連結することができる。
【００１０】
また、請求項３に記載の発明に係る配線・配管材等の支持具は、請求項１に記載の支持具において、前記連結部は、前記支持具本体の、前後および左右の、４方の側部に設けられている。こうして、この連結部により、支持具本体の任意の数を、前後または左右に、直線的に連続して連結することができるだけでなく、前後および左右に、平面的に連続して連結することができる。
【００１１】
また、請求項４に記載の発明に係る配線・配管材等の支持具は、請求項１ないし３のいずれか１項に記載の支持具において、前記連結部は、前記磁石部の側方に設けられている。
【００１２】
また、請求項５に記載の発明に係る配線・配管材等の支持具は、請求項１ないし４のいずれか１項に記載の支持具において、前記連結部は、前記一の支持具の支持具本体を、この支持具に隣接する前記他の支持具の支持具本体に対して、前記連結部を支点として前記被取着面とは反対側に向けて回動しないように連結するものである。こうすることで、一の支持具の支持部に支持された配線・配管材等の重さでその一の支持具の磁石部が被取着面から離間しようとすると、その離間しようとする力が、他の支持具に的確に伝わる。したがって、一の支持具の磁石部が被取着面から離間するのを、その被取着面への他の支持具の磁石部の吸着力により確実に阻止することができる。
【００１３】
また、請求項６に記載の発明に係る配線・配管材等の支持具は、請求項５に記載の支持具において、前記連結部は、前記一の支持具の支持具本体を、この支持具に隣接する前記他の支持具の支持具本体に対して、前記連結部を支点として前記被取着面とは反対側および前記被取着面側に向けて回動しないように連結するものである。
【００１４】
また、請求項７に記載の発明に係る配線・配管材等の支持具は、請求項１ないし４のいずれか１項に記載の支持具において、前記連結部は、前記一の支持具の支持具本体を、この支持具に隣接する前記他の支持具の支持具本体に対して、前記連結部を支点として前記被取着面とは反対側および／または前記被取着面側に向けて回動可能となるように連結するものである。このように、一の支持具本体と他の支持具本体とが回動可能に連結されることで、被取着面が屈曲している場合であっても、その屈曲した各面に、支持具本体のそれぞれを沿わせることができる。
【００１５】
また、請求項８に記載の発明に係る配線・配管材等の支持装置は、請求項１ないし７のいずれか１項に記載の支持具を複数用いた支持装置であって、複数の前記支持具本体が、前記連結部により連結されてなる。
【００１６】
また、請求項９に記載の発明に係る配線・配管材等の支持装置は、請求項８に記載の支持装置において、前記磁石部は、磁石と、その磁石を収容するヨークとからなる。ここで、前記磁石は、前記ヨークの開口側に臨む一端側と、前記ヨークの底面側に臨む他端側とが、異なる磁極となるように磁化され、それら磁極の極性が特定されて前記ヨーク内に収容されることで、前記ヨークの開口側に臨む一端側の磁極がＮＳのいずれか一方の極に設定されている。これにより、連結部により連結された支持具本体の磁石部は、各ヨークの開口側端部どうしの磁極が互いに反発し合うため、この磁石部の吸着力が大きくなる。
【発明の効果】
【００１７】
この発明に係る配線・配管材等の支持具および支持装置によれば、配線・配管材等の重さに応じて、支持具を単独で、あるいは連結して用いることで、配線・配管材等を、その重さに関わらず、適切に支持することができる。しかも、支持具を単独で用いた場合には、被取着面からの支持具の取り外しが容易となるため、この支持具は、取り扱いに優れる。
【発明を実施するための最良の形態】
【００１８】
以下、この発明に係る配線・配管材等の支持具および支持装置を実施するための最良の形態を図面に基づいて説明する。
【００１９】
図１ないし図１２は、本発明の一実施の形態を示す。図中符号１は、例えば天井を形成する、デッキプレート等の金属製（特に鉄製等の強磁性体製）の被取着面である。２は、被支持部材としての配線・配管材等、例えば、配線材あるいは配管材である。３は、配線・配管材２を支持する支持具である。４は、支持具３を複数用いた支持装置である。
【００２０】
ここで、支持具３は、支持具本体５を備え、その支持具本体５は、前記被取着面１に吸着可能な磁石部６と、配線・配管材２を吊り下げるようにして支持するための支持部７とを有している。そして、支持具本体５には、一の支持具３の支持具本体５と他の支持具３の支持具本体５とを相互に連結（図示実施の形態においては、相互に着脱自在に連結）する連結部８が設けられている。そして、一の支持具３の支持具本体５と他の支持具３の支持具本体５とが前記連結部８により連結された状態で、一の支持具３の支持部７に支持された配線・配管材２の重さでその一の支持具３の磁石部６が被取着面１から離間するのをその被取着面１への他の支持具３の磁石部６の吸着力により阻止する。すなわち、連結により、一の支持具３の磁石部６の吸着力を、他の支持具３の磁石部６の吸着力が補強する。そして、連結部８は、一の支持具３の支持部７に支持された配線・配管材２の重さでその一の支持具３の磁石部６が被取着面１から離間するのを、その被取着面１への他の支持具３の磁石部６の吸着力が阻止するような強度を備えている。また、前記連結部８は、一の支持具３の支持具本体５を、この支持具３に隣接する他の支持具３の支持具本体５に対して、連結部８を支点として被取着面１とは反対側および被取着面１側に向けて回動しないように連結するものとなっている。
【００２１】
具体的には、支持具３は、前記磁石部６と、本体ケース９とから構成されている。ここにおいて、磁石部６は、磁石６ａと、その磁石６ａを収容するヨーク６ｂとからなる。磁石６ａは、ヨーク６ｂの開口側に臨む一端側（図示実施の形態においては、上側）と、ヨーク６ｂの底面側に臨む他端側（図示実施の形態においては、下側）とが、異なる磁極となるように磁化されている。この磁石６ａは、略長方形の板状に形成されて、その板面が上面と下面とを形成するように配置されて、その下面側が、ヨーク６ｂの底面に接着等により固定されている。ヨーク６ｂは、例えば軟鉄からなり、前記底面を形成する底板６ｃと、その底板６ｃの前後の両側から立ち上がる側板６ｄ、６ｄとから構成されている（図６参照）。そこで、前記磁石６ａは、底板６ｃ上であって、この側板６ｄ、６ｄ間に収容される。また、ヨーク６ｂの底板６ｃの左右の両側からは、係合片６ｅ、６ｅが延設されている（図５参照）。
【００２２】
本体ケース９は、例えば合成樹脂製であって、前記磁石部６を収容するケース部９ａと、前記支持部７と、前記連結部８とを備えている。ここで、ケース部９ａは、扁平箱型であって、上方が開口している。そして、磁石部６は、ヨーク６ｂの側板６ｄ、６ｄの先端部分が、ケース部９ａの開口から突出するようにして露出し、そのケース部９ａに収容される。このとき、ヨーク６ｂの係合片６ｅが、ケース部９ａに形成された係合部９ｂに係合することで、磁石部６は、ケース部９ａ、すなわち本体ケース９に組み付けられている（図５参照）。
【００２３】
支持部７は、ケース部９ａから下方に突出して形成されている。そして、この支持部７には、支持孔７ａが明けられており、その支持孔７ａには、配線・配管材２を吊り下げるようにして保持する保持材１０が掛け止められる（図７参照）。
【００２４】
連結部８は、支持具本体５の、前後および左右の、４方の側部であって、かつ、磁石部６の側方に設けられている。図示実施の形態においては、連結部８は、磁石部６の側方となるケース部９ａの側方、詳細には、ケース部９ａの前後および左右の、４方に設けられている。すなわち、連結部８は、前後の第１および第２の連結部８０１、８０２、そして、左右の第３および第４の連結部８０３、８０４からなる。そして、一の支持具３の第１の連結部８０１と他の支持具３の第２の連結部８０２とが接続されることで、それらの支持具本体５、５どうしが前後方向に連結される。また、一の支持具３の第３の連結部８０３と他の支持具３の第４の連結部８０４とが接続されることで、それらの支持具本体５、５どうしが左右方向に連結される。こうして、この支持具本体５（支持具３）は、前後方向にも左右方向にも任意の数が連なることが可能となる。
【００２５】
詳細には、第１の連結部８０１は、ケース部９ａの前側面から前方に断面略Ｔ字状に突出して、前記前側面の長手方向（左右方向）に沿って延びるように形成されている。そして、第２の連結部８０２は、ケース部９ａの後側面から後方に突出して形成されており、第１の連結部８０１の上部部分と係合するように鉤状に下方に折れ曲がった上部連結部８ａと、第１の連結部８０１の下部部分と係合するように鉤状に上方に折れ曲がった下部連結部８ｂ、８ｂとからなる。そして、上部連結部８ａは、ケース部９ａの後側面における左右の中央部分に設けられ、下部連結部８ｂ、８ｂは、ケース部９ａの後側面における左右の端部部分に、前記上部連結部８ａとは、間隙を隔てて設けられている。
【００２６】
第３および第４の連結部８０３、８０４は、それぞれ、第１および第２の連結部８０１、８０２と同様の形状をしている。すなわち、第３の連結部８０３は、ケース部９ａの左側面から左方に断面略Ｔ字状に突出して、前記左側面の長手方向（前後方向）に沿って延びるように形成されている。そして、第４の連結部８０４は、ケース部９ａの右側面から右方に突出して形成されており、第３の連結部８０３の上部部分と係合するように鉤状に下方に折れ曲がった上部連結部８ｃと、第３の連結部８０３の下部部分と係合するように鉤状に上方に折れ曲がった下部連結部８ｄ、８ｄとからなる。そして、上部連結部８ｃは、ケース部９ａの右側面における前後の中央部分に設けられ、下部連結部８ｄ、８ｄは、ケース部９ａの右側面における前後の端部部分に、前記上部連結部８ｃとは、間隙を隔てて設けられている。
【００２７】
ところで、第１および第２の連結部８０１、８０２には、それらが係合したときに、その係合が簡単には外れないように、互いに掛かり合う掛合凹部８ｅおよび掛合凸部８ｆが設けられている。同様にして、第３および第４の連結部８０３、８０４にも、それらが係合したときに、その係合が簡単には外れないように、互いに掛かり合う掛合凹部８ｅおよび掛合凸８ｆ部が設けられている。
【００２８】
そこで、第１の連結部８０１と第２の連結部８０２とを接続するには、例えば、図８および図９に示すように、一の支持具３を他の支持具３に対して左右方向（Ｐ方向）にスライドさせることで、支持具本体５、５、ひいては支持具３、３を前後方向に連結する。第３の連結部８０３と第４の連結部８０４との接続においても、図示しないが、同様に、一の支持具３を他の支持具３に対して前後方向にスライドさせることで、支持具本体５、５、ひいては支持具３、３を左右方向に連結することができる。また、図１０ないし図１２は、他の接続の方法を、第３の連結部８０３と第４の連結部８０４との接続を例として示すものであるが、第１の接続部８０１と第２の接続部８０２との接続においても同様である。この接続方法は、図１０および図１１に示すように、一の支持具３を、第３の連結部８０３が上下方向に延びるように回転させた状態で、その一の支持具３を他の支持具３に近づけるようＱ方向に移動させて、一の支持具３の第３の連結部８０３を、他の支持具３の第４の連結部８０４における上部連結部８ｃと下部連結部８ｄとの間の間隙に挿入する。そこで、図１１および図１２に示すように、一の支持具３を、その向きを戻すようにＲ方向に回転し、そして、左右の方向となるＳ方向にスライドさせる。
【００２９】
図１は、支持具３を複数（詳細には、３つ）用いた支持装置４を示しており、この支持装置４は、複数（詳細には、３つ）の支持具本体５、５が、連結部８により連結されている。この図１において、中央の支持具３の支持部７には、保持材１０が掛けられており、その保持材１０を介して、配線・配管材２が吊り下げられている。ここで、各磁石部６、６における磁石６ａ、６ａは、それら磁極の極性が特定されてヨーク６ｂ、６ｂ内に収容されることで、ヨーク６ｂ、６ｂの開口側に臨む一端側の磁極がＮＳのいずれか一方の極に設定されている。
【００３０】
次に、以上の構成からなる支持具３および支持装置４の作用効果について説明する。この支持具３によると、支持具３を単独で用いたり、複数の支持具３、３を、その支持具本体５、５を連結部８により連結して用いたりすることができる。ここにおいて、支持具３を単独で用いると、その一つの支持具３の磁石部６の吸着力が被取着面１に作用する。したがって、この方法は、配線・配管材２が軽い場合に適し、また、被取着面１からの支持具３の取り外しも容易となる。そして、複数の支持具３、３を連結して用いると、一の支持具３の支持部７に支持された配線・配管材２の重さでその一の支持具３の磁石部６が被取着面１から離間するのを、その被取着面１への他の支持具３の磁石部６の吸着力により阻止する。したがって、この方法は、配線・配管材２が重い場合に適する。このように、配線・配管材２の重さに応じて、支持具３を単独で、あるいは連結して用いることで、配線・配管材２を、その重さに関わらず、適切に支持することができる。そして、支持具３を単独で用いた場合には、被取着面１からの支持具３の取り外しが容易となるため、この支持具３は、取り扱いに優れる。
【００３１】
また、連結部８は、支持具本体５の、前後および左右の、４方の側部に設けられている。したがって、この連結部８によって、支持具本体５の任意の数を、前後または左右に、直線的に連続して連結することができるのは勿論、前後および左右に、平面的に連続して連結することができる。また、連結部８は、一の支持具３の支持具本体５を、この支持具３に隣接する他の支持具３の支持具本体５に対して、前記連結部８を支点として被取着面１とは反対側に向けて回動しないように連結する。したがって、一の支持具３の支持部７に支持された配線・配管材２の重さでその一の支持具３の磁石部６が被取着面１から離間しようとすると、その離間しようとする力が、他の支持具３に的確に伝わる。よって、一の支持具３の磁石部６が被取着面１から離間するのを、その被取着面１への他の支持具３の磁石部６の吸着力により確実に阻止することができる。
【００３２】
また、支持装置４においては、各磁石６ａ、６ａは、ヨーク６ｂ、６ｂの開口側に臨む一端側と、ヨーク６ｂ、６ｂの底面側に臨む他端側とが、異なる磁極となるように磁化され、それら磁極の極性が特定されてヨーク６ｂ、６ｂ内に収容されることで、ヨーク６ｂ、６ｂの開口側に臨む一端側の磁極がＮＳのいずれか一方の極に設定されている。これにより、連結部８により連結された支持具本体５、５の磁石部６、６は、各ヨーク６ｂ、６ｂの開口側端部（つまり、側板６ｄの先端部）どうしの磁極が互いに反発し合い、この磁石部６、６の吸着力が大きくなる。
【００３３】
なお、本発明は、上述した実施の形態に限定されるわけではなく、その他種々の変更が可能である。例えば、一の支持具３の支持具本体５と他の支持具３の支持具本体５とは、連結部８によって相互に着脱自在に連結されるが、連結後には、相互の分離が困難あるいは分離不能であっても構わない。
【００３４】
また、連結部８は、支持具本体５の、前後および左右の、４方の側部に設けられているが、前後または左右の、２方の側部に設けられてもよい。このように、連結部８が、支持具本体５の、前後または左右の、２方の側部に設けられることで、この連結部８によって、支持具本体５の任意の数を、前後または左右に、直線的に連続して連結することができる。
【００３５】
また、連結部８は、一の支持具３の支持具本体５を、この支持具３に隣接する他の支持具３の支持具本体５に対して、連結部８を支点として被取着面１とは反対側および被取着面１側に向けて回動しないように連結するが、連結部８を支点として被取着面１とは反対側に向けてのみ回動しないように連結するものであってもよい。
【００３６】
また、被支持部材は、配線・配管材２でなくとも、照明器具とかスピーカー等であってもよい。
【００３７】
さらに、図１３ないし図１５に示すように、連結部８は、一の支持具３の支持具本体５を、この支持具３に隣接する他の支持具３の支持具本体５に対して、連結部８を支点として被取着面１とは反対側および／または被取着面１側に向けて回動可能となるように連結するものであってもよい。この構成は、従来の吊り具が、重量の大きな配線・配管材を吊設するには不十分であり、吊設対象物が大きく制限されていたのに対し、重量の大きな被支持部材としての配線・配管材等、例えば、配線材あるいは配管材を、被取着面が屈曲している場合であっても的確に支持することができる、配線・配管材等の支持装置を提供することを目的としたものである。詳細には、連結部８は、ヒンジ構造をしており、一方の連結部としての軸受け８ｇに対して、他方の連結部としての軸部８ｈが、回動可能に嵌合している。そして、このように、一の支持具本体５と他の支持具本体５とが回動可能に連結されることで、被取着面１が屈曲している場合であっても、その屈曲した各面に、支持具本体５のそれぞれを沿わせることで、重量の大きな配線・配管材２を的確に支持することができる（図１５参照）。また、この場合において、支持具３が単体ではなく、常に複数の支持具３、３（支持具本体５、５）が連結された支持装置４として用いる場合には、支持部７は、全ての支持具３、３（支持具本体５、５）に設けられる必要はなく、図１６に示すように、少なくとも一つの支持具３（支持具本体５）に設けられていればよい。
【図面の簡単な説明】
【００３８】
【図１】この発明の一実施の形態の、支持装置の取付状態を示す側面図である。
【図２】同じく、支持具の正面図である。
【図３】同じく、支持具の側面図である。
【図４】同じく、支持具の平面図である。
【図５】同じく、図４におけるＡ−Ａ線による断面図である。
【図６】同じく、図４におけるＢ−Ｂ線による断面図である。
【図７】同じく、支持具の斜視図である。
【図８】同じく、支持具どうしの連結方法を説明するための第１の斜視図である。
【図９】同じく、支持具どうしの連結方法を説明するための第２の斜視図である。
【図１０】同じく、支持具どうしの他の連結方法を説明するための第１の斜視図である。
【図１１】同じく、支持具どうしの他の連結方法を説明するための第２の斜視図である。
【図１２】同じく、支持具どうしの他の連結方法を説明するための第３の斜視図である。
【図１３】この発明の他の実施の形態の、支持装置を示す正面図である。
【図１４】同じく、支持装置を示す平面図である。
【図１５】同じく、支持装置の取付状態を示す正面図である。
【図１６】この発明の他の実施の形態の変形例の、支持装置を示す正面図である。
【符号の説明】
【００３９】
１  被取着面
２  配線・配管材（配線・配管材等）
３  支持具
４  支持装置
５  支持具本体
６  磁石部
６ａ  磁石
６ｂ  ヨーク
７  支持部
８  連結部
【図１】
2006083904.tif 000003
【図２】
2006083904.tif 000004
【図３】
2006083904.tif 000005
【図４】
2006083904.tif 000006
【図５】
2006083904.tif 000007
【図６】
2006083904.tif 000008
【図７】
2006083904.tif 000009
【図８】
2006083904.tif 000010
【図９】
2006083904.tif 000011
【図１０】
2006083904.tif 000012
【図１１】
2006083904.tif 000013
【図１２】
2006083904.tif 000014
【図１３】
2006083904.tif 000015
【図１４】
2006083904.tif 000016
【図１５】
2006083904.tif 000017
【図１６】
2006083904.tif 000018